(57)【特許請求の範囲】
【請求項１】
印字ヘッドと、この印字ヘッドに対抗配設された印字ガイド面と傾斜搬送ガイド面とを有する搬送ガイド部材と、レシート用紙搬送手段と、レシート用紙搬送手段により印字ガイド面に沿って一方側から導入された連続紙であるレシート用紙の先端をすくいつつピンチローラー側に搬送ガイド可能かつピンチローラー通過後のレシート用紙を傾斜搬送ガイド面に沿って搬送ガイド可能な搬送ガイド手段とを備え、この搬送ガイド手段が、支軸を中心に回動可能であるとともに上方側にすくい面および伝票阻止面を有しかつ下方側に傾斜搬送ガイド面に対向可能な用紙搬送ガイド面を有する用紙搬送ガイド本体と，この用紙搬送ガイド本体と係合してすくい面を起立させる方向に付勢するバネとから形成され、しかもこのバネがピンチローラーによって送出されたレシート用紙の先端が傾斜搬送ガイド面と用紙搬送ガイド面との間を通過した以降は当該レシート用紙側からの力によって用紙搬送ガイド本体が支軸を中心にすくい面を倒しかつ伝票阻止面を他方側から導入された非連続紙である伝票を印字ヘッド側に通過することを許容可能な強さに選択されているレジ用プリンタにおいて、
前記印字ヘッドが、前記印字ガイド面上の前記レシート用紙にレシート印字情報相当インクドットをジェットしつつ印字可能および前記伝票に伝票情報相当インクドットをジェットしつつ印字可能なインクジェット印字ヘッドから形成され、かつ前記用紙搬送ガイド本体の下方側に前記用紙搬送ガイド面が印字後の前記レシート用紙に直接接触することを阻止する回転自在な接触阻止ローラーが装着されているレジ用プリンタ。
【請求項２】
前記接触阻止ローラーが、前記ピンチローラー通過後のレシート用紙の幅方向に離隔配設された複数のガイドローラー要素から形成されている請求項１記載のレジ用プリンタ。
【請求項３】
前記接触阻止ローラーが、前記ピンチローラー通過後の前記レシート用紙の幅方向に離隔配設された２つのガイドローラー要素から形成されている請求項１記載のレジ用プリンタ。
【請求項４】
前記各ガイドローラー要素が前記レシート用紙の左右余白部に当接可能に配設されている請求項３記載のレジ用プリンタ。
【請求項５】
前記各ガイドローラー要素が前記レシート用紙に印字されたロゴマークを外れた位置で当接可能に配設されている請求項３記載のレジ用プリンタ。
【請求項６】
前記用紙搬送ガイド本体のすくい面が前記バネの付勢力で起立されている場合に、当該すくい面の上方側に当該用紙搬送ガイド本体と連動しない第２のすくい面が設けられている請求項１から請求項５までのいずれか１項に記載されたレジ用プリンタ。
【発明の詳細な説明】
【０００１】
【発明の属する技術分野】
本発明は、印字ヘッドと、この印字ヘッドに対抗配設された印字ガイド面と傾斜搬送ガイド面とを有する搬送ガイド部材と、レシート用紙搬送手段と、レシート用紙搬送手段により印字ガイド面に沿って一方側から導入された連続紙であるレシート用紙の先端をすくいつつピンチローラー側に搬送ガイド可能かつピンチローラー通過後のレシート用紙を傾斜搬送ガイド面に沿って搬送ガイド可能な搬送ガイド手段とを備えたレジ用プリンタに関する。
【０００２】
【従来の技術】
電子キャッシュレジスタ（以下、単に“レジ”と略称する。）では、顧客買上商品について商品登録し、１取引終了宣言の締め操作を条件として会計処理を行う。登録商品情報および会計処理情報等を含むレシート印字情報は編集されかつレジ用プリンタを駆動制御してレシート用紙に印字される。そして、カットされたレシートを発行し当該顧客に手渡される。また、レジ用プリンタで各種伝票に当該各伝票情報を印字する場合も多い。
【０００３】
図６，図７において、レシート用紙６０および伝票７０を印字するレジ用プリンタは、印字ヘッド１０Ｐと搬送ガイド部材２０とレシート用紙搬送手段３０と搬送ガイド手段４０とからなる。伝票搬送手段が設けられる場合もある。
【０００４】
すなわち、印字ヘッド１０Ｐは、サーマルプリンタを採用すると消耗品であるレシート用紙（ロール用紙６０Ｒ）が高価であることから、ドットインパクト方式が多用されている。したがって、レシート用紙６０と伝票７０とを印字するためには、例えば、印字ヘッド１０Ｐおよび印字ガイド面２２を図６で紙面垂直方向にずらせたり、印字領域を変えたりしなければならないので、印字ヘッド１０Ｐの往復移動時間が長くなる。つまり、印字処理時間が長くなる。条件によっては別個の印字ヘッド１０Ｐを用いなければならないので、大型かつ装置コストが高くなる。
【０００５】
しかし、印字後のレシート（６０）と伝票７０とは同一方向（図６で左側）つまりキャッシャーの手元で排出させたい。また、レシート用紙（レシート）６０の幅寸法（図６で紙面垂直方向寸法）よりも伝票７０の横幅（図６で紙面垂直方向寸法）が長い場合が多いので、伝票７０はレシート用紙６０の搬送方向（図６で、右→左）と逆の方向（左→右）から挿入しかつ印字後に逆搬送（右→左）して排出させなければならない。
【０００６】
搬送ガイド部材２０は、図６の印字ヘッド１０Ｐと対向する水平な印字ガイド面２２と傾斜搬送ガイド面２５とを有する。なお、ロール紙６０Ｒから繰り出されたレシート用紙６０は、搬送ガイド部材２０の下側を回ってかつレシート用紙のこし（弾性力）を利用して外ガイド２９内を通り、印字ガイド面２２に至る。
【０００７】
また、レシート用紙搬送手段３０は、図７の回転軸３１に固着されたピンチローラー３２（３２Ｌ，３２Ｒ）と搬送ローラー３５とからなり、図６で一方側（右側）から導入された連続紙であるレシート用紙６０を傾斜搬送ガイド面２５に沿って下方向に搬送する。
【０００８】
ピンチローラー３２Ｌ，３２Ｒは、図７の用紙搬送ガイド本体４２に設けられた開口部３２Ｈ，３２Ｈ内に装着されている。回転軸３１に嵌装されたバネ３７は、常態において用紙搬送ガイド本体４２を、そのすくい面４３を起立（図６で実線で示す状態）させる方向に付勢しかつ用紙搬送ガイド面４５（特に、その下端４９）がレシート用紙６０側のこし（弾性力）で図６で上方に持ち上げられた場合にすくい面４３および伝票阻止面４４が倒れる（図６で点線で示す状態）ことを許容することができる強さに選択されている。
【０００９】
また、非連続紙である伝票７０の場合は、手動による挿入・取出し搬送を採用する場合と、伝票搬送手段とを設ける場合とがある。伝票搬送手段は、図示省略したが、他方向（左側）から導入された伝票７０を水平状態に倒された伝票阻止面４４上を通過させつつ印字ヘッド１０Ｐ側に搬送できかつ印字後に当該伝票７０を元の位置へ逆搬送することができる。
【００１０】
ここに、レシート用紙６０と伝票７０との搬送を円滑化かつ装置小型化のために導入された搬送ガイド手段４０は、図７のピンチローラー３２Ｌ，３２Ｒ用の回転軸３１を支軸とし、この支軸（３１）を中心に回動可能であるとともに上方側にすくい面４３および伝票阻止面４４を有しかつ下方側に傾斜搬送ガイド面２５に対向可能な用紙搬送ガイド面４５を有する用紙搬送ガイド本体４２と，この用紙搬送ガイド本体４２のすくい面４３を起立させる方向に付勢する上記バネ３７とから形成されている。バネ３７は、用紙搬送ガイド４５側を傾斜搬送ガイド面２５側に引っ張る方向に設ける場合があるが、本質は変わらない。したがって、レシート用紙６０の印字停止中に伝票７０を搬送・印字・逆搬送することができる。
【００１１】
【発明が解決しようとする課題】
ところで、レシートの利用性が高まっている。例えば、顧客がレシート６０からレシート印字情報を黙読して自宅パソコンに当該レシート印字情報をキー入力しあるいはＯＣＲを用いて読取り入力して、家計簿を管理する等である。伝票７０の場合も同様である。したがって、レシート印字情報・伝票情報のレシート・伝票への鮮明・高画質印字が強く望まれつつある。
【００１２】
一方において、キャッシャーおよび顧客ともに、ドットインパクトプリンタによる印字時の騒音が大きく耳障りである。つまり、使用環境上の改善が望まれている。レシート発行までの時間短縮の要求も強い。さらに、店舗等において各顧客に手渡しされるレシートを宣伝媒体に有効利用（使用）したいとの要請が一段と強まっている。例えば、特売商品や新規入荷商品をカラー画像情報としてアピールするなどである。
【００１３】
本発明の目的は、レシート用紙および伝票に文字列や画像を高画質でかつ低騒音で高速印字できるとともに印字品質をそのまま維持できるレジ用プリンタを提供する。
【００１４】
【課題を解決するための手段】
従来は、レシート用紙６０および伝票７０の双方を印字しなければならずかつ伝票７０を可逆搬送しなければならないことから、印字ヘッドは慣行的に上記のドットインパクト方式が採用されている。
【００１５】
これに対してインクジェット印字ヘッドを採択すれば、レシート用紙６０および伝票７０の双方にそれぞれ非接触印字ができることから、同一のインクジェット印字ヘッドを用いかつ同一の印字領域においてレシート用紙６０および伝票７０の印字処理高速化を達成できかつ小型化を図れるとともに、高画質印字かつ低騒音印字ができる筈である。
【００１６】
しかし、試行によると、特にレシート（６０）が汚れかつ印字品質が劣悪化することが確認された。図６に示す用紙搬送ガイド本体４２の用紙搬送ガイド面４５（つまりは、下端４９）がレシート用紙６０の幅方向全域に直接接触して印字部分を引っ掻くことが原因と分析した。また、非接触印字のためにインクジェット印字ヘッドと印字ガイド面とのクリアランスを拡大できることに起因するものと推定されるレシート用紙６０のセッティング時における先端のすくいが困難になることからジャムが発生し易くなる。
【００１７】
本発明は、インクジェット印字ヘッドを採択してその利益を発揮可能とするとともに、その採択による欠点（インク汚れ、セッティング時のジャム発生）を巧みに解消できるように構成したものである。
【００１８】
すなわち、請求項１の発明は、印字ヘッドと、この印字ヘッドに対抗配設された印字ガイド面と傾斜搬送ガイド面とを有する搬送ガイド部材と、レシート用紙搬送手段と、レシート用紙搬送手段により印字ガイド面に沿って一方側から導入された連続紙であるレシート用紙の先端をすくいつつピンチローラー側に搬送ガイド可能かつピンチローラー通過後のレシート用紙を傾斜搬送ガイド面に沿って搬送ガイド可能な搬送ガイド手段とを備え、この搬送ガイド手段が、支軸を中心に回動可能であるとともに上方側にすくい面および伝票阻止面を有しかつ下方側に傾斜搬送ガイド面に対向可能な用紙搬送ガイド面を有する用紙搬送ガイド本体と，この用紙搬送ガイド本体と係合してすくい面を起立させる方向に付勢するバネとから形成され、しかもこのバネがピンチローラーによって送出されたレシート用紙の先端が傾斜搬送ガイド面と用紙搬送ガイド面との間を通過した以降は当該レシート用紙側からの力によって用紙搬送ガイド本体が支軸を中心にすくい面を倒しかつ伝票阻止面を他方側から導入された非連続紙である伝票を印字ヘッド側に通過することを許容可能な強さに選択されているレジ用プリンタにおいて、前記印字ヘッドが、前記印字ガイド面上の前記レシート用紙にレシート印字情報相当インクドットをジェットしつつ印字可能および前記伝票に伝票情報相当インクドットをジェットしつつ印字可能なインクジェット印字ヘッドから形成され、かつ前記用紙搬送ガイド本体の下方側に前記用紙搬送ガイド面が印字後の前記レシート用紙に直接接触することを阻止する回転自在な接触阻止ローラーが装着されているレジ用プリンタである。
【００１９】
かかる発明では、レシート用紙搬送手段により一方側から導入されたレシート用紙の先端をインクジェット印字ヘッドと印字ガイド面との間を通して挿入すると、その先端が、バネの付勢力で起立した用紙搬送ガイド本体の上方側のすくい面にすくわれかつ傾斜搬送ガイド面に沿いつつピンチローラーへ向ってガイドされる。この際、用紙搬送ガイド本体の上方側の伝票阻止面は起立しているので、他方側から導入された伝票がインクジェット印字ヘッドと印字ガイド面との間を通して挿入されることを、阻止することができる。
【００２０】
ピンチローラーによって送出されたレシート用紙の先端が、傾斜搬送ガイド面と用紙搬送ガイド本体側の用紙搬送ガイド面との間を通過した以降は、用紙搬送ガイド本体が当該レシート用紙側からの力（こし）によってかつバネの付勢力に抗して支軸を中心に回動する。つまり、すくい面および伝票阻止面を水平状態に倒す。
【００２１】
セッティングされた印字ガイド面上のレシート用紙に、インクジェット印字ヘッドからレシート印字情報相当インクドットをジェットしつつ、印字することができる。この印字部分が用紙搬送ガイド面を通過する際には、当該用紙搬送ガイド面側の接触阻止ローラーがレシート用紙に回転接触する。つまり、当該用紙搬送ガイド面の下端が全面的にレシート用紙に接触しかつ印字部分を引っ掻くことによる印字品質の劣悪化を防止することができる。
【００２２】
また、非連続紙である伝票を他方側から倒れた伝票阻止面上を通過させつつインクジェット印字ヘッドと印字ガイド面との間に挿入しつつ当該伝票にレシート用紙の場合と同じインクジェット印字ヘッドを駆動して伝票情報相当インクドットをジェットしつつ印字することができる。伝票挿入後においてはレシート用紙がセットされている限りにおいて伝票阻止面が倒れたままであるから、印字後伝票を他方側（元）に戻すことができる。しかる後には、同一の印字領域でレシート用紙と次の伝票を高速で印字することができる。
【００２３】
したがって、印字ヘッドがインクジェット印字ヘッドから形成されているので、レシートおよび伝票に高密度文字列や図形を高画質でかつ静かに高速印字することができるとともに、接触阻止ローラーが設けられているので用紙のインク汚れがなく印字品質を維持できかつ同一のインクジェット印字ヘッドを同一の印字領域で利用することができるから小型化も促進できる。
【００２４】
また、請求項２の発明は、前記接触阻止ローラーが、前記ピンチローラー通過後のレシート用紙の幅方向に離隔配設された複数のガイドローラー要素から形成されたレジ用プリンタである。
【００２５】
かかる発明では、接触阻止ローラーを形成する複数のガイドローラー要素が、ピンチローラー通過後のレシート用紙の幅方向に離隔する複数点で接触する。つまり、レシート用紙と接触阻止ローラーとの総接触面積の狭小化を図れる。したがって、請求項１の発明の場合と同様な作用効果を奏することができることに加え、さらに印字品質を一段と確実に維持できる。
【００２６】
また、請求項３の発明は、前記接触阻止ローラーが、前記ピンチローラー通過後の前記レシート用紙の幅方向に離隔配設された２つのガイドローラー要素から形成されたレジ用プリンタである。
【００２７】
かかる発明では、２つのガイドローラー要素を、例えば、レシート用紙に印字されたレシート印字情報の印字密度が低い部位や印字する機会の少ない部位で接触させることができるから、請求項１の発明の場合と同様な作用効果を奏することができることに加え、さらに印字品質を一段と高く維持できる。
【００２８】
さらに、請求項４の発明は、前記各ガイドローラー要素が前記レシート用紙の左右余白部に当接可能に配設されたレジ用プリンタである。
【００２９】
かかる発明では、各ガイドローラー要素が、レシート用紙の左右余白部に当接するので、請求項３の発明の場合と同様な作用効果を奏することができることに加え、さらにレシート印字情報である文字列についても非接触とすることができる。よって、印字品質をより一段と高く維持できる。
【００３０】
さらに、請求項５の発明は、前記各ガイドローラー要素が前記レシート用紙に印字されたロゴマークを外れた位置で当接可能に配設されたレジ用プリンタである。
【００３１】
かかる発明では、各ガイドローラー要素が、インクドット密度が高いロゴマークを外した両側位置で接触するので、請求項３の発明の場合と同様な作用効果を奏することができることに加え、さらにレシート印字情報中にインク密度の多い各種ロゴマークを採用できるので適応性が広い。
【００３２】
さらにまた、請求項６の発明は、前記用紙搬送ガイド本体のすくい面が前記バネの付勢力で起立されている場合に、当該すくい面の上方側に当該用紙搬送ガイド本体と連動しない第２のすくい面が設けられているレジ用プリンタである。
【００３３】
かかる発明では、インクジェット印字ヘッドを利用するので印字ガイド面とのクリアランスを大きくした場合やロール用紙の巻癖が強い場合等でも第２のすくい面が設けられているから、レシート用紙の先端を確実にすくえかつ用紙搬送ガイド本体の簡素化および円滑な回動運動を行える。また、第２のすくい面が用紙搬送ガイド本体と連動しないから伝票の搬送にも支障を生じない。したがって、請求項１から請求項５までの各発明の場合と同様な作用効果を奏することができることに加え、さらに導入されるレシート用紙および伝票の先端姿勢に対する適応性が広い。
【００３４】
【発明の実施の形態】
以下、本発明の実施形態について図面を参照して説明する。
（第１の実施形態）
本レジ用プリンタは、図１〜図３に示す如く、基本的構成（２０，３０，４０）が従来例の場合（図６，図７）と同様とされているが、さらに印字ヘッドを印字ガイド面２２上のレシート用紙６０（および伝票７０）にレシート印字情報相当インクドット（および伝票情報相当インクドット）をジェットしつつ印字するインクジェット印字ヘッド１０から形成し、かつ用紙搬送ガイド本体４２の下方側に用紙搬送ガイド面４５（下端４９）が印字後のレシート用紙６０に直接接触することを阻止可能で回転自在な接触阻止ローラー５０を装着し、レシート用紙６０にインク汚れおよび印字内容の変質が発生しないように形成してある。
【００３５】
なお、従来例（図６，図７）の場合と共通する部分については同一の符号を付し、それらの説明については簡略化または省略する。
【００３６】
図１，図２において、印字ヘッドは、インクジェット印字ヘッド１０から構成されている。このインクジェット印字ヘッド１０は、共通の印字領域（印字ガイド面２２）上のレシート用紙６０にレシート印字情報相当インクドットをジェットしつつ印字可能および伝票７０に伝票情報相当インクドットをジェットしつつ印字可能である。
【００３７】
具体的には、インクジェットノズルを印字幅方向（図１で紙面垂直方向）にレシート用紙６０（伝票７０）の印字有効範囲内で往復移動させることができる。もっとも、印字有効範囲内の全範囲に渡る複数のインクジェットノズルを設ける場合には、往復移動させなくてもよい。
【００３８】
いずれにしても、高密度文字情報や画像情報を高速かつ高画質で、しかも静かに印字することができる。また、レシート用紙６０（伝票７０）に非接触で印字できるから、ドットインパクト方式の場合のように、印字領域を変えたり、別々のヘッドを設けたりする必要がないので、装置小型化を図れる。
【００３９】
図３において、搬送ガイド手段４０を形成する用紙搬送ガイド本体４２の下方側には、用紙搬送ガイド面４５（詳しくは、下端４９）が印字後のレシート用紙６０に直接接触することを阻止するための接触阻止ローラー５０を形成するガイドローラー要素５０Ｌ，５０Ｒを回転自在に装着可能な２つの開口部５０Ｈ，５０Ｈが設けられている。
【００４０】
すなわち、この実施形態の接触阻止ローラー５０は、レシート用紙搬送手段３０を形成するピンチローラー３２および搬送ローラー３５間を通過した後のレシート用紙６０の幅方向に離隔配設された複数（２）のガイドローラー要素５０Ｌ，５０Ｒから形成されている。レシート用紙６０と接触阻止ローラー５０（５０Ｌ，５０Ｒ）との総接触面積の狭小化を図り、印字品質を一段と確実に維持できる。
【００４１】
ただし、インクジェット印字ヘッド１０の下面（ノズル先端）と印字ガイド面２２との上下方向距離（クリアランス）の大小，インク性状および用紙性状，搬送速度等の関係によっては、接触阻止ローラー５０を３以上のガイドローラー要素から形成してもよい。特にインク乾燥が速い場合には、１つのガイドローラー要素（５０）から形成しても支障がない場合もある。
【００４２】
また、非接触印字できることから、例えば伝票７０の挿入・排出搬送の便宜にインクジェット印字ヘッド１０と印字ガイド面２２との間隔（クリアランス）を大きく選択した場合や、ロール紙６１Ｒを印字ガイド面２２の近く（図１で右側）に配設する場合等においては、セッティング時におけるレシート用紙６０の先端が図１で大きく上方に浮上る虞が考えられる。
【００４３】
そこで、印字用紙搬送ガイド本体４２のすくい面４３がバネ３７の付勢力で起立されている場合に、図１に示す如く、当該すくい面４３の上方側に当該用紙搬送ガイド本体４２と連動しない第２のすくい面８０を設け、そのような場合でも、かつ伝票７０のの挿入搬送に支障を与えないで、確実な“すくい”ができるように形成してある。
【００４４】
かかる第１の実施形態のレジ用プリンタでは、一方側（図１で右側）から導入されたレシート用紙６０の先端をインクジェット印字ヘッド１０と印字ガイド面２２との間を通して挿入すると、その先端が、バネ３７の付勢力で起立した用紙搬送ガイド本体４２の上方側のすくい面４３にすくわれつつ下向きにガイドされかつ傾斜搬送ガイド面２５に沿いつつピンチローラー３２へ向ってガイドされる。
【００４５】
この際、用紙搬送ガイド本体４２の上方側の伝票阻止面４４は起立しているので、他方側（図１で左側）から導入された伝票７０がインクジェット印字ヘッド１０と印字ガイド面２２との間を通して挿入されることを、阻止することができる。
【００４６】
レシート用紙搬送手段３０を形成するピンチローラー３２（搬送ローラー３５）によって送出されたレシート用紙６０の先端が、傾斜搬送ガイド面２５と用紙搬送ガイド本体４２側の用紙搬送ガイド面４５との間を通過した以降は、用紙搬送ガイド本体４２が当該レシート用紙６０からの力（こし）によってかつバネ３７の付勢力に抗して、支軸（回転軸３１）を中心に図１で右回転方向に回動する。つまり、すくい面４３および伝票阻止面４４を水平状態に倒す。
【００４７】
したがって、印字ガイド面２２上のレシート用紙６０にインクジェット印字ヘッド１０からレシート印字情報相当インクドットをジェットしつつレシート印字情報を印字することができる。この印字部分が用紙搬送ガイド面４５を通過する際には、当該用紙搬送ガイド面４５側の接触阻止ローラー５０（５０Ｌ，５０Ｒ）がレシート用紙６０の上面（印字面）に回転接触する。
【００４８】
つまり、当該用紙搬送ガイド面４５の下端４９が全面的にレシート用紙６０に接触しかつ印字部分を引っ掻くことによる印字品質の劣悪化を防止することができる。
【００４９】
また、非連続紙である伝票７０を他方側（左側）から倒れた伝票阻止面４４上を通過させつつインクジェット印字ヘッド１０と印字ガイド面２２との間に挿入しつつ当該伝票７０にレシート用紙６０の場合と同じインクジェット印字へッド１０を駆動して伝票情報相当インクドットをジェットしつつ伝票情報を印字することができる。
【００５０】
伝票挿入後においては、レシート用紙６０がセットされている限りにおいて伝票阻止面４４が倒れたままであるから、印字後伝票７０を他方側（元）に戻すことができる。挿入された伝票７０の先端は、伝票ガイド面２７に載る。
【００５１】
しかる後には、同一の印字領域（２２）でレシート用紙６０と次の伝票７０を高速で印字することができる。このように印字ヘッドがインクジェット印字ヘッド１０から形成されているので、レシート（６０）および伝票７０に高密度文字列や図形を高画質でかつ静かに高速印字することができるとともに、接触阻止ローラー５０（５０Ｌ，５０Ｒ）が設けられているので、用紙（６０）のインク汚れがなく印字品質を維持できかつ同一のインクジェット印字ヘッド１０を同一の印字領域で利用することができるから小型化も促進できる。
【００５２】
また、接触阻止ローラー５０を形成する２つのガイドローラー要素５０Ｌ，５０Ｒが、ピンチローラー３２・搬送ローラー３５間通過後のレシート用紙６０の幅方向に離隔する２点で接触するから、全長に渡る１つのガイドローラー要素（５０）とした場合に比較して、レシート用紙６０と接触阻止ローラー５０（５０Ｌ，５０Ｒ）との総接触面積の狭小化を図れるので、印字品質を一段と確実に維持できる。
【００５３】
すなわち、２つのガイドローラー要素５０Ｌ，５０Ｒを、例えば、レシート用紙６０に印字されたレシート印字情報の印字密度が低い部位や印字する機会の少ない部位で接触させることができるから、印字品質をより一段と高く維持できる。
【００５４】
（第２の実施形態）
この第２の実施形態は、基本的構成が第１の実施形態の場合（図１〜図３）と同様とされ、かつ図４に示すように接触阻止ローラー５０を形成する２つのガイドローラー要素５０Ｌ，５０Ｒが、レシート用紙６０の左右余白部６１Ｌ，６１Ｒに当接するように配設してある。
【００５５】
したがって、各ガイドローラー要素５０Ｌ，５０Ｒが、レシート用紙６０の左右余白部６１Ｌ，６１Ｒに当接するので、レシート印字情報である図４の文字列（印字有効幅がＷｒ２）についても非接触とすることができる。よって、印字品質をより一段と高く維持できる。
【００５６】
（第３の実施形態）
この第３の実施形態は、基本的構成が第１の実施形態の場合（図１〜図３）と同様とされ、かつ図５に示すように各ガイドローラー要素５０Ｌ，５０Ｒがレシート用紙６０に印字された印字幅がＷｒ３のロゴマーク６２を外れた位置で当接できるように配設されている。すなわち、各ガイドローラー要素５０Ｌ，５０Ｒが、インクドット密度が高いロゴマーク６２を外した両左右側位置で接触するので、インク密度の多い各種ロゴマーク６２を採用できるので適応性が広い。
【００５７】
【発明の効果】
請求項１の発明によれば、印字ヘッドがインクジェット印字ヘッドから形成されかつ用紙搬送ガイド本体の下方側に用紙搬送ガイド面が印字後のレシート用紙に直接接触することを阻止する回転自在な接触阻止ローラーが装着されているレジ用プリンタであるから、レシートおよび伝票に高密度文字列や図形を高画質でかつ静かに高速印字することができるとともに、用紙のインク汚れがなく印字品質を維持できかつ同一のインクジェット印字ヘッドを同一の印字領域で利用するから小型化も促進できる。
【００５８】
また、請求項２の発明よれば、接触阻止ローラーがピンチローラー通過後のレシート用紙の幅方向に離隔配設された複数のガイドローラー要素から形成されているので、請求項１の発明の場合と同様な効果を奏することができることに加え、さらに印字品質を一段と確実に維持できる。
【００５９】
また、請求項３の発明よれば、接触阻止ローラーがピンチローラー通過後のレシート用紙の幅方向に離隔配設された２つのガイドローラー要素から形成されているので、請求項１の発明の場合と同様な効果を奏することができることに加え、さらに印字品質を一段と高く維持できる。
【００６０】
さらに、請求項４の発明よれば、各ガイドローラー要素がレシート用紙の左右余白部に当接可能に配設されているので、請求項３の発明の場合と同様な効果を奏することができることに加え、さらにレシート印字情報である文字列についても非接触とすることができる。よって、印字品質をより一段と高く維持できる。
【００６１】
さらに、請求項５の発明よれば、各ガイドローラー要素がレシート用紙に印字されたロゴマークを外れた位置で当接可能に配設されているので、請求項３の発明の場合と同様な効果を奏することができることに加え、さらにインク密度の多い各種ロゴマークを採用できるので適応性が広い。
【００６２】
さらにまた、請求項６の発明よれば、用紙搬送ガイド本体のすくい面がバネの付勢力で起立されている場合に、当該すくい面の上方側に当該用紙搬送ガイド本体と連動しない第２のすくい面が設けられているので、請求項１から請求項５までの各発明の場合と同様な効果を奏することができることに加え、さらに導入されるレシート用紙および伝票の先端姿勢に対する適応性が広い。
【図面の簡単な説明】
【図１】本発明の第１の実施形態に係るレシート用紙のセッティング時動作を説明するための側面図である。
【図２】同じく、伝票の挿入時動作を説明するための側面図である。
【図３】同じく、用紙搬送ガイド本体および接触阻止ローラーを説明するための外観斜視図である。
【図４】本発明の第２の実施形態に係る各ガイドローラー要素およびレシート用紙との相対関係を説明するための図である。
【図５】本発明の第３の実施形態に係る各ガイドローラー要素およびレシート用紙との相対関係を説明するための図である。
【図６】従来例を説明するための側面図である。
【図７】同じく、用紙搬送ガイド本体を説明するための外観斜視図である。
【符号の説明】
１０  インクジェット印字ヘッド（印字ヘッド）
２０  搬送ガイド部材
２２  印字ガイド面
２５  傾斜搬送ガイド面
２７  伝票ガイド面
３０  レシート用紙搬送手段
３１  回転軸（支軸）
３２  ピンチローラー
３５  搬送ローラー
３７  バネ
４０  搬送ガイド手段
４２  用紙搬送ガイド本体
４３  すくい面
４４  伝票阻止面
４５  用紙搬送ガイド面
４９  下端（用紙搬送ガイド面）
５０  接触阻止ローラー
５０Ｌ，５０Ｒ  ガイドローラー要素
６０  レシート用紙
６１Ｌ，６１Ｒ  余白部
６２  ロゴマーク
Ｗｒ１  レシート用紙幅
Ｗｒ２  印字有効幅
Ｗｒ３  ロゴマーク幅
７０  伝票
８０  第２のすくい面
【図１】
0003737308.tif 000002
【図２】
0003737308.tif 000003
【図３】
0003737308.tif 000004
【図４】
0003737308.tif 000005
【図５】
0003737308.tif 000006
【図６】
0003737308.tif 000007
【図７】
0003737308.tif 000008